(57)【要約】【課題】電子メール送受信機能およびカメラ撮影機能を有する通信端末装置を既存の電子メールシステムと組み合わせて利用することにより、比較的低コストで融通性の高い新規な遠隔撮影システムを提供する。【解決手段】通信端末装置１００ａから撮影指示メールを通信端末装置１００ｂに送信する（▲１▼）。通信端末装置１００ｂは、受信したメール内に予め定められたキーワードが含まれていることを確認してカメラ撮影を実行する。さらに、通信端末装置１００ｂは、撮影により得られた画像データを添付書類として、撮影指示メールの送信元である通信端末装置１００ａを宛先とする返信メールを作成し、送信する（▲２▼）。撮影指示メールにカーボンコピー（ｃｃ）の宛先が付加されている場合には、その宛先に対しても返信メールを送信する（▲３▼、▲４▼）。【選択図】　図１
2004139311.tif 000002
【特許請求の範囲】
【請求項１】
電子メールの送受信機能を備えた第１の通信端末装置と、
電子メールの送受信機能およびカメラ撮影機能を備えた第２の通信端末装置とを備え、
前記第１の通信端末装置は、ユーザの指示に応じて、カメラ撮影を指示するキーワードを含む電子メールを前記第２の通信端末装置宛に送信し、
前記第２の通信端末装置は当該電子メールを受信して前記キーワードを検出したとき、カメラ撮影を行い、この撮影により得られた画像データを添付書類とした電子メールを作成し、少なくとも前記電子メールの発信者を返信先として送信する
ことを特徴とする遠隔撮影システム。
【請求項２】
前記第２の通信端末装置は、ユーザの指示に応じて前記キーワードを可変設定する手段を備えたことを特徴とする請求項１記載の遠隔撮影システム。
【請求項３】
前記第２の通信端末装置は、前記キーワードを含む電子メールにカーボンコピーの宛先が付加されている場合、当該カーボンコピーの宛先に対しても前記電子メールを返信することを特徴とする請求項１記載の遠隔撮影システム。
【請求項４】
前記第１の通信端末装置は、ユーザの指示に応じて、前記キーワードに加えて撮影日時を指定する記述を付加し、前記第２の通信端末装置は当該電子メールに応じて当該指定された日時に撮影を行うことを特徴とする請求項１記載の遠隔撮影システム。
【請求項５】
電子メールアドレスが付加された通信端末装置であって、
自己宛の電子メールを自動受信する受信手段と、
内蔵した、または外付けのカメラにより撮影を行う撮影手段と、
予め定められたキーワードを記憶するキーワード記憶手段と、
受信した電子メールに前記記憶されたキーワードと一致する文字列が含まれているか否かをチェックするキーワード検出手段と、
前記キーワードが含まれていることが検出されたとき、前記撮影手段による撮影を起動する撮影制御手段と、
この撮影により得られた画像データを添付書類として少なくとも前記電子メールの発信者を返信先とした電子メールを作成するメール作成手段と、
この作成されたメールを送信する送信手段と、
を備えたことを特徴とする通信端末装置。
【請求項６】
ユーザの指示に応じて前記キーワードを可変設定する手段を備えたことを特徴とする請求項５記載の通信端末装置。
【請求項７】
前記メール作成手段は、前記キーワードを含む電子メールにカーボンコピーの宛先が付加されている場合、当該カーボンコピーの宛先に対しても前記電子メールを返信先として指定することを特徴とする請求項５記載の通信端末装置。
【請求項８】
前記撮影制御手段は、前記キーワードに対して撮影日時を指定する情報が付加されている場合、当該指定された日時に撮影を行うことを特徴とする請求項５記載の通信端末装置。
【請求項９】
撮影指示をを受け付ける発信者電子メールアドレスを予め登録しておき、前記撮影制御手段は、受信された電子メールの発信者電子メールアドレスが登録電子メールアドレスと一致しないとき撮影の起動を行わないことを特徴とする請求項５記載の通信端末装置。
【請求項１０】
カメラ撮影機能を有し、電子メールアドレスが付加された通信端末装置における自動撮影返信方法であって、
自己宛の電子メールを受信したとき、予め定められたキーワードと一致する文字列がその電子メールに含まれているか否かをチェックするステップと、
前記キーワードが含まれていることが検出されたとき、カメラ撮影を起動するステップと、
この撮影により得られた画像データを添付書類として少なくとも前記電子メールの発信者を返信先とした電子メールを作成するステップと、
この作成された電子メールを送信するステップと、
を備えたことを特徴とする自動撮影返信方法。
【発明の詳細な説明】
【０００１】
【発明の属する技術分野】
本発明は、電子メール送受信機能およびカメラ撮影機能を有する通信端末装置およびこれを用いた遠隔撮影システムに関する。
【０００２】
【従来の技術】
従来、遠隔地の監視対象物を視覚的に監視するためには、撮影装置と通信装置とを組み合わせた専用のシステムが必要であった。したがって、そのシステムのコストは比較的高いものとなった。
【０００３】
【特許文献１】
特開２００２−１３２６６４号公報
【０００４】
【発明が解決しようとする課題】
一方、現在、インターネットの普及により電子メール（単にメールともいう）は、仕事上のみならず個人的にも必要不可欠の情報伝達ツールとなってきている。また、携帯電話機を代表とする携帯型の通信端末装置においても電子メールの送受信機能の利用が一般的になり、添付書類の送受信も可能となっている。
【０００５】
さらに、最近の携帯電話機では小型のカメラを内蔵または外付け可能となった機種が出回っており、任意の場所で撮影した画像を電子メールの添付書類として送信することができるようになっている。（なお、特許文献１に開示された技術は、送信側でメールに画像や音のデータを添付することなく、メールを受信した装置側で受信メールの特定情報に基づいて画像や音を記憶装置から読み出して再生するものである。）
【０００６】
そこで本発明は、電子メール送受信機能およびカメラ撮影機能を有する通信端末装置を既存の電子メールシステムと組み合わせて利用することにより、比較的低コストで融通性の高い新規な遠隔撮影システムを提供することを目的とする。
【０００７】
【課題を解決するための手段】
本発明による遠隔撮影システムは、電子メールの送受信機能を備えた第１の通信端末装置と、電子メールの送受信機能およびカメラ撮影機能を備えた第２の通信端末装置とを備える。前記第１の通信端末装置は、ユーザの指示に応じて、カメラ撮影を指示するキーワードを含む電子メールを前記第２の通信端末装置宛に送信する。前記第２の通信端末装置は当該電子メールを受信して前記キーワードを検出したとき、カメラ撮影を行い、この撮影により得られた画像データを添付書類とした電子メールを作成し、少なくとも前記電子メールの発信者を返信先として送信する。
【０００８】
これにより、第１の通信端末装置のユーザは、キーワードを含めた電子メールを第２の通信端末装置に送信するだけで、第２の通信端末装置に自動的にその設置場所でのカメラ撮影を行わせるとともに、電子メールの添付書類でその画像データの返送を受けることができる。
【０００９】
前記第２の通信端末装置は、ユーザの指示に応じて前記キーワードを可変設定する手段を備えてもよい。
【００１０】
前記キーワードを含む電子メールにカーボンコピーの宛先が付加されている場合、前記第２の通信端末装置は、当該カーボンコピーの宛先に対しても前記電子メールを返信する。
【００１１】
前記第１の通信端末装置は、ユーザの指示に応じて、前記キーワードに加えて撮影日時を指定する記述を付加してもよく、この場合、前記第２の通信端末装置は当該電子メールに応じて当該指定された日時に撮影を行う。
【００１２】
本発明による通信端末装置は、電子メールアドレスが付加された通信端末装置であって、自己宛の電子メールを自動受信する受信手段と、内蔵した、または外付けのカメラにより撮影を行う撮影手段と、予め定められたキーワードを記憶するキーワード記憶手段と、受信した電子メールに前記記憶されたキーワードと一致する文字列が含まれているか否かをチェックするキーワード検出手段と、前記キーワードが含まれていることが検出されたとき、前記撮影手段による撮影を起動する撮影制御手段と、この撮影により得られた画像データを添付書類として少なくとも前記電子メールの発信者を返信先とした電子メールを作成するメール作成手段と、この作成されたメールを送信する送信手段とを備えたことを特徴とする。
【００１３】
この通信端末装置は、電子メールを受信したとき、記憶されたキーワードと一致する文字列がその電子メールに含まれているか否かをチェックし、含まれている場合に、撮像を行って、その画像データを添付書類として電子メールを作成し、発信者宛に返送する。
【００１４】
撮影指示をを受け付ける発信者電子メールアドレスを予め登録しておき、前記撮影制御手段は、受信された電子メールの発信者電子メールアドレスが登録電子メールアドレスと一致しないとき撮影の起動を行わないようにすることも可能である。これは、予期しない発信者からの撮影指示を無効とするように機能する。
【００１５】
本発明による自動撮影返信方法は、カメラ撮影機能を有し、電子メールアドレスが付加された通信端末装置における自動撮影返信方法であって、自己宛の電子メールを受信したとき、予め定められたキーワードと一致する文字列がその電子メールに含まれているか否かをチェックするステップと、前記キーワードが含まれていることが検出されたとき、カメラ撮影を起動するステップと、この撮影により得られた画像データを添付書類として少なくとも前記電子メールの発信者を返信先とした電子メールを作成するステップと、この作成された電子メールを送信するステップとを備えたことを特徴とする。
【００１６】
本発明は、このデータ自動返信方法を実現するコンピュータプログラムおよびこのプログラムを格納した記録媒体として把握することも可能である。
【００１７】
【発明の実施の形態】
以下、本発明の実施の形態について、図面を参照して詳細に説明する。
【００１８】
図１は、本発明による遠隔撮影システムの概略構成を示している。
【００１９】
このシステムは、メールの発信元である撮影を指示する通信端末装置（単に通信端末ともいう）１００ａと、撮影を担当する通信端末１００ｂと、発信元への画像の返信時に併せて同じ画像の返信を受けるための通信端末１００ｃ，１００ｄからなる。
【００２０】
図１の例では、すべての通信端末がカメラ２１６を内蔵するものとして示してあるが、カメラ機能は撮影を担当する通信端末１００ｂのみが持てば足りる。また、各通信端末は携帯電話機を例として図示してあるが、必ずしも携帯電話機である必要はなく、電子メール送受信機能を有すれば足りる。但し、撮影を担当する通信端末１００ｂは、固有の電話番号（および電子メールアドレス）を有し、自己宛の電子メールを送信とともにほぼリアルタイムに受信することが好ましい。例えば、少なくとも通信端末１００ｂは、携帯電話機のように装置自体にメールアドレスが割り当てられたタイプの通信端末であり、その電子メールシステムは、通信端末が自己宛のメールを自動受信するタイプのシステムである。また、通信端末１００ｂは、任意の監視対象に対して容易に設置可能とするためには携帯型の通信端末であることが好ましい。このような通信端末の代表的なものは携帯電話機であるが、電話番号の割り当てられた通信ユニットを内蔵した携帯情報端末（ＰＤＡ：　Ｐｅｒｏｓｏｎａｌ　Ｄｉｇｉｔａｌ　Ａｓｓｉｓｔａｎｔ）のような通信端末であってもよい。
【００２１】
撮影結果を受信する側の通信端末１００ａ，１００ｃ，１００ｄは必ずしも携帯型の通信端末である必要はないが、携帯型であれば、通信に用いる電波の届く任意の場所で撮影結果を確認することができるという利点を有する。また、自動受信型のメールシステムを利用することにより、ほぼリアルタイムに撮影結果を表示部２０９で確認することが可能となる。このような意味から、撮影結果を受信する側の通信端末１００ａ，１００ｃ，１００ｄも携帯電話機のような通信端末であることが好ましい。なお、撮影結果を受信する側の通信端末１００ａ，１００ｃ，１００ｄの個数は３個示したが、最低１個（撮影指示を出した端末のみ）存在すればよい。
【００２２】
図１のシステムの具体的な動作例については後述する。
【００２３】
図２に、本実施の形態の通信端末としての携帯電話機のハードウェア構成を表すブロック図を示す。
【００２４】
この通信端末１００は、電話機能に関連した部位として、アンテナ２００、アンテナ共用器としてのデュプレクサ２０１、受信部（ＲＸ）２０２、送信部（ＴＸ）２０３、ＤＳＰ（Ｄｉｇｉｔａｌ　Ｓｉｇｎａｌ　Ｐｒｏｃｅｓｓｏｒ）２０４、スピーカ２０５、マイク２０６、イヤレシーバ２０７、撮像制御部２１５およびカメラ２１６を備えている。通信端末１００は、さらに、この通信端末の制御に関連した部位として、制御部２０８、表示部２０９、タイマー部２１０、操作部２１１、ＲＯＭ２１３、ＲＡＭ２１４を有する。操作部２１１が図１に示した各種キーやボタンに相当する。タイマー部２１０は、現在日時および撮影予約日時を管理する部位である。ＲＯＭ２１３には本実施の形態の後述する動作を実現するための制御プログラムおよび固定的なデータが格納されている。ＲＯＭ２１３は、フラッシュＲＯＭのような再書き込み可能なメモリを含んでもよい。ＲＯＭ２１３および／またはＲＡＭ２１４（好ましくはバッテリバックアップされている）が本発明におけるキーワード記憶手段を構成する。制御部２０８は、本発明における撮影制御手段、メール作成手段を構成する。
【００２５】
以下、本実施の形態の動作例を説明する。
【００２６】
図３は、図１に示したシステムにおける撮影指示から撮影結果の返信までの、通信端末１００ａと１００ｂの処理の流れを示すフローチャートである。
【００２７】
通信端末１００ａは、そのユーザの操作に応じて、撮影指示のための電子メールを作成する（Ｓ１１）。このとき、ユーザは所定のキーワードを入力する。この入力する箇所としては、メールの「件名（Ｓｕｂ）」の欄、または「本文」の欄が考えられる。本実施の形態では、いずれかの欄に所定のキーワードを入力すればよいものとする。但し、遠隔撮影システムによっては、いずれか一方の欄への入力にのみ限定してもよい。
【００２８】
図４（ａ）（ｂ）に、当該キーワードを入力したメールの内容例を示す。図４（ａ）は件名欄にキーワードを入力した場合、図４（ｂ）は本文欄にキーワードを入力した場合を示している。この例では「％へんしんきぼう」という文字列をキーワードとしている。このキーワードは予めシステムに固定の文字列であってもよいが、後述するように、ユーザが任意の文字列を可変設定できるようにしてもよい。これによって、当該キーワードを知っているユーザのみが、撮影担当の通信端末に対して有効な撮影指示メールを発信することができる。
【００２９】
なお、この撮影指示メールの送信先（Ｔｏ）は、図１の通信端末１００ｂのメールアドレスであり、送信元（Ｆｒｏｍ）は通信端末１００ａのメールアドレスである。また、カーボンコピー（ｃｃ）の宛先は、通信端末１００ｃ，１００ｄのメールアドレスである。
【００３０】
カーボンコピーの代わりにブラインドカーボンコピー（ｂｃｃ）を利用してもよい。本実施の形態では、カーボンコピーの送付先には、この撮影指示メールが送信され、その受信者は撮影指示が発行されたことをこのメールにより認識し、ほどなく撮影結果が送信されてくることを予期することができる。カーボンコピーとブラインドカーボンコピーの違いは、そのメール受信者にコピーの送信先が見えるか否かであるが、本実施の形態では撮影担当の通信端末１００ｂにおいてそのユーザが撮影指示メールを読むことを想定していないので、いずれであっても差異はない。但し、通信端末１００ｂにおいて受信履歴に残るかどうかでは差異が生じる。
【００３１】
いずれにせよ、通信端末１００ａは、ユーザの指示に応じて、上記のようなキーワードを含んだ撮影指示メールを、指示された宛先である通信端末１００ｂ宛に送信する（Ｓ１２、図１▲１▼）。
【００３２】
撮影担当の通信端末１００ｂは、上記のようなキーワードを含んだ撮影指示メールを受信したとき（Ｓ２１）、後述する自動返信設定がＯＮに設定されているかどうかをチェックする（Ｓ２２）。ＯＮでなければ、次のメールの受信待機状態となる。ＯＮに設定されている場合には、受信メール（の件名欄または本文欄）内に当該キーワードが存在するか否かをチェックする（Ｓ２３）。存在しなければ、次のメールの受信待機状態となる。当該キーワードが検出されなければ、次のメールの受信待機状態となる。当該キーワードが検出されれば、直ちにカメラ２１６を起動してカメラ撮影を実行する（Ｓ２４）。さらに、撮影により得られた画像データを添付書類とし、前記電子メールの発信者を返信先としたメールを作成する（Ｓ２５）。
【００３３】
ステップＳ２５に続いて、カーボンコピーの送付先があるかどうかをチェックする（Ｓ２６）。なければ、当該撮影指示メールの送信元（発信者）に対してだけ返信メールを送信する（Ｓ２８、図１▲２▼）。カーボンコピーの送付先がある場合には、送信元だけでなくカーボンコピーの宛先にも返信メールを送信する（Ｓ２７、図１▲３▼▲４▼）。その後、次のメールの受信待機状態となる。
【００３４】
図５に、図４の撮影指示メールに応答して作成された返信メールの構成例を示す。この返信メールでは、図４の撮影指示メールの送信元を宛先とし、その撮影指示メールの宛先を送信元としている。また、撮影指示メールのｃｃの宛先はそのまま返信メールのｃｃに指定している。さらに、この返信メールには添付書類として撮影により得られた画像データが添付される。この例では、画像データのファイル名は、撮影の行われた日時で構成しているが、必ずしもこれに限るものではなく、別途、一意なファイル名を自動付与するようにしてもよい。なお、返信メールの本文には何も記載する必要はないが、予め定められた固定的な返信メッセージを自動的に組み込むようにしてもよい。
【００３５】
次に、図６および図７により、自動返信設定およびキーワードの登録の具体例を説明する。自動返信設定とは、撮影指示メールを受信したときに、これに応じて撮影および撮影結果の返信を行うかどうかを、通信端末のユーザが予め設定しておくものである。図６（ａ）は「Ｅメールメニュー」の画面例を示している。このメニュー項目の一つとして「Ｅメール設定」が用意されており、これを選択すると、図６（ｂ）がＥメール設定画面に移行する。この画面内に「自動返信設定」のメニュー項目がある。図から、現在自動返信設定がＯＦＦに設定されていることが分かる。「自動返信設定」を選択すると、図６（ｃ）の「自動返信設定」画面に移行する。この画面でユーザがプルダウンメニューからＯＮを選択した後、図６（ｄ）に示すように「キーワード」のメニュー項目を選択すると、図７（ａ）に示すようなキーワード入力画面となる。
【００３６】
図７（ａ）のキーワード入力画面ではユーザが、所望の文字列を登録対象のキーワードとして入力する。ユーザがこの入力内容を確定すると、図７（ｂ）に示すように「自動返信設定」画面に戻り、さらにユーザの完了指示により、図７（ｃ）に示すような自動返信設定が完了した旨のメッセージを表示する画面に移行する。さらに、ユーザのＯＫ指示により、図７（ｄ）に示すように「Ｅメール設定」の画面に戻る。この画面では「自動返信設定」がＯＮになっている。このようにして自動返信設定をＯＮとした後は、撮影指示メールへの応答が可能となる。
【００３７】
なお、撮影を担当する通信端末における「Ｅメール」設定では「メール受信方法」を「全受信」としておく。これはメールのヘッダ情報だけではくメール本文も自動受信するための設定事項である。また、添付ファイルも自動的に受信する「添付自動受信」を有効にしておく。
【００３８】
このように自動返信設定のＯＮ／ＯＦＦ機能を設けることにより、例えば携帯電話機を、選択的に撮影担当の通信端末として利用することが可能となる。この自動返信設定をＯＦＦした携帯電話機は、通常の携帯電話機と何ら変わらないことになる。
【００３９】
また、キーワードはシステムにおいて固定の文字列とすることも可能であるが、上記のようにキーワードの登録（すなわち可変設定）機能を設けることにより、キーワードにパスワードと同等の機能を持たせることができる。すなわち、撮影担当の通信端末のメールアドレスだけでなく、その端末に登録してあるキーワードをも知っている者だけが、当該撮影担当の通信端末の撮影、返信機能を起動することができ、それ以外の者による悪用を防止することができる。
【００４０】
さらに、撮影指示メールを送信する通信端末を、予め定めた特定のメールアドレスに限定し、これ（これら）以外の発信者からの撮影指示メールを拒絶するようにしてもよい。そのためには、撮影を担当する通信端末において、撮影指示を受け付ける相手のメールアドレスを予め登録しておき、撮影指示メールの受信時にその発信者メールアドレスが登録メールアドレスに一致するか否かをチェックし、一致したときのみ撮影指示を受け付けるようにする。図８にこのような変形例の処理のフローチャートを示す。この処理は図３の処理に対して、発信者のメールアドレスを登録メールアドレスと比較するステップＳ２２ａを追加したものであり、他の点は図３の処理と同じである。これによって予定外の者からの撮影指示メールによる撮影指示を拒絶することができる。
【００４１】
上記実施の形態ではユーザの指示に応じて撮影指示メールを発信するようにしたが、予め作成しておいた撮影指示メールを、ユーザの指示によらず、定期的に自動的に送信するようにしてもよい。あるいは、撮影指示メールにおいて撮影日時を指定するようにしてもよい。一例として、キーワードに加えて撮影日時を指定する記述、例えば、２００２年１０月１３日１２時３０分の場合にはキーワードの後に［２００２／１０／１３−１２：３０］のような記述を付加する。撮影を担当する端末は、キーワードの後のカギ括弧内の記述から撮影日時を認識し、タイマー部２１０による予約時間管理により指定日時に撮像を行う。さらに周期的な撮影を指示する場合には、このような記述に加えて例えば［２００２／１０／１３−１２：３０−１：００−４］のような時間間隔（１：００）および撮影回数（４）を指示する記述を追加してもよい。この例は、２００２年１０月１３日１２時３０分から１時間毎に合計４回撮影を行うことを指示するものである。具体的な記述の仕方は、この例に限られるものではなく別の記述方法が種々考えられる。
【００４２】
撮影担当の通信端末において順次撮影が繰り返して実行された場合、画像データを格納するメモリ容量が満杯になるおそれがある。これに備えて、画像データを格納するためのメモリ領域が満杯になる場合には、画像データを古い方から消去するようにしてもよい。あるいは、返信メールで返信した画像データは直ちに消去するようにしてもよい。
【００４３】
撮影指示メールに対する返信は、撮影指示メールの発信元およびｃｃの宛先に送るようにしたが、発信元へは送らず、ｃｃの宛先にのみ送るようにしてもよい。
【００４４】
【発明の効果】
本発明によれば、電子メール送受信機能およびカメラ撮影機能を有する通信端末装置とともに既存の電子メールシステムを利用できるので、撮影を担当する通信端末装置の処理プログラムの追加または変更のみによって発明を実現でき、遠隔撮影システムを低コストで構築することが可能となる。また、予め定めたキーワードを用いて撮影指示を行うので、キーワードを知っている者のみが撮影指示を行え、第三者の悪用を防止することができる。このキーワードをユーザが可変設定できるようにしたり、撮影指示メールの発信者を特定のメールアドレスに制限したりすることにより、一層のセキュリティ向上を図ることができる。
【００４５】
撮影指示は電子メールを作成できる任意の通信端末装置から送信することができ、撮影を行う通信端末装置および撮影指示を行う通信端末装置としてそれぞれ携帯型の通信端末装置を利用すれば、撮影場所への設置および撮影結果の確認が極めて容易に行える。したがって、極めて融通性の高いシステムが構築できる。
【図面の簡単な説明】
【図１】本発明による遠隔撮影システムの概略構成を示す図である。
【図２】本発明の実施の形態の通信端末としての携帯電話機のハードウェア構成を表すブロック図である。
【図３】図１に示したシステムにおける撮影指示から撮影結果の返信までの、通信端末１００ａと１００ｂの処理の流れを示すフローチャートである。
【図４】本発明の実施の形態におけるキーワードを入力したメールの内容例（ａ）（ｂ）を示す図である。
【図５】図４の撮影指示メールに応答して作成された返信メールの構成例を示す図である。
【図６】自動返信設定およびキーワードの登録の具体例を説明するための画面例を示す図である。
【図７】図６の画面例に続く画面例を示す図である。
【図８】本発明の変形例における通信端末１００ａと１００ｂの処理の流れを示すフローチャートである。
【符号の説明】
１００，１００ａ，１００ｂ，１００ｃ，１００ｄ…通信端末（携帯電話機）、２１６…カメラ、２０９…表示部（ディスプレイ）
【図１】
2004139311.tif 000003
【図２】
2004139311.tif 000004
【図３】
2004139311.tif 000005
【図４】
2004139311.tif 000006
【図５】
2004139311.tif 000007
【図６】
2004139311.tif 000008
【図７】
2004139311.tif 000009
【図８】
2004139311.tif 000010